(57)【要約】      （修正有）【課題】モバイル装置のユーザが第１位置にいる間にコンテンツプロバイダからコンテンツファイルを選択及びオーダーし、それを自動的にホットスポットにダウンロード及びキャッシュすることを可能及び容易にし、これにより、ホットスポットに訪問する際、コスト効率的なローカルダウンロード又はストリーミングにより利用可能にする。【解決手段】ホットスポットへのコンテンツのリモートサイトダウンロードは、ホットスポットがネットワークに接続すると、リモートコンテンツプロバイダサーバ又はコンテンツユーザのモバイル装置から受信したダウンロードオーダープロキシを処理するキャッシュサーバにより実行される。キャッシュサーバは、当該プロキシに従ってコンテンツプロバイダサーバからインターネットを介しダウンロードされたコンテンツファイルを格納し、ホットスポットにサインインすると、適切なモバイル装置にコンテンツファイルを送出する。【選択図】図１
2010231798.tif 000002
【特許請求の範囲】
【請求項１】
コンテンツプロバイダからコンテンツユーザ装置へのコンテンツファイルの転送を実現するシステムであって、
前記コンテンツファイルと、前記コンテンツプロバイダと、前記コンテンツユーザとを特定するプロキシを生成する手段と、
アクセスポイントにあるキャッシュサーバに前記プロキシを送信する手段と、
を有し、
前記キャッシュサーバは、
前記送信されたプロキシに従って前記コンテンツプロバイダから前記コンテンツファイルをダウンロードする手段と、
前記コンテンツファイルを要求したコンテンツユーザのディレクトリを動的に作成する手段と、
前記ダウンロードされたコンテンツファイルを格納する手段と、
前記アクセスポイントにおいて前記コンテンツユーザに前記コンテンツファイルをローカルに提供する手段と、
複数のコンテンツユーザのため格納されているコンテンツファイルを共有する手段と、
を有するシステム。
【請求項２】
前記コンテンツファイルをローカルに提供する手段は、前記アクセスポイントにある無線ルータを有する、請求項１記載のシステム。
【請求項３】
前記キャッシュサーバは、前記コンテンツユーザが前記アクセスポイントにいるとき、前記ダウンロードされたコンテンツファイルを前記コンテンツユーザ装置と同期する手段を有する、請求項１記載のシステム。
【請求項４】
前記キャッシュサーバは、
前記ダウンロード対象のコンテンツファイルの識別情報と前記コンテンツプロバイダのインターネットアドレスとを含むパラメータを有する前記プロキシを受信及び復号する手段と、
前記特定されたコンテンツファイルをダウンロードするため前記プロキシを実行する手段と、
を有する、請求項１記載のシステム。
【請求項５】
前記動的に作成されたディレクトリは、ユーザ固有のディレクトリを有し、
前記ダウンロードされたコンテンツファイルを格納する手段は、共通の格納ディレクトリと前記ユーザ固有のディレクトリとの少なくとも１つを有する、請求項１記載のシステム。
【請求項６】
前記格納されているコンテンツファイルを共有する手段は、前記コンテンツファイルと、前記複数のコンテンツユーザの１以上のユーザ固有のディレクトリにおける前記コンテンツファイルへのリンクとを格納するため前記共通の格納ディレクトリを有する、請求項５記載のシステム。
【請求項７】
前記キャッシュサーバは、ネットワーク接続されたセットトップボックスである、請求項１記載のシステム。
【請求項８】
前記プロキシは、前記キャッシュサーバにより受信される電子メール又はインスタントメッセージに含まれるデータセット又は実行可能オブジェクトである、請求項１記載のシステム。
【請求項９】
前記プロキシは、前記アクセスポイントへの前記コンテンツユーザの予想される到着時間を特定するデータを有する、請求項８記載のシステム。
【請求項１０】
前記コンテンツファイルをローカルに提供する手段は、前記コンテンツユーザがモバイル装置により前記アクセスポイントにおいてログインすることを可能にし、ログインしたコンテンツユーザを認証すると、前記コンテンツファイルを前記コンテンツユーザ装置にルーティングするようプログラムされた、前記アクセスポイントにおける無線ルータ又はアクセスポイントブリッジを有する、請求項１記載のシステム。
【請求項１１】
前記キャッシュサーバは、ネットワーク接続されたインターネット対応のデジタル格納装置である、請求項１記載のシステム。
【請求項１２】
コンテンツプロバイダからコンテンツユーザ装置へのコンテンツファイルの転送を実現する方法であって、
前記コンテンツファイルを要求したコンテンツユーザに対して動的に作成された少なくとも１つのディレクトリを含み、複数のコンテンツユーザに対して格納されているコンテンツファイルを共有する手段を有するインターネット対応のキャッシュサーバをアクセスポイントに設けるステップと、
前記コンテンツユーザが前記アクセスポイントに来る前に、前記コンテンツユーザによりオーダーされた前記コンテンツファイルの要求を特定するメッセージを前記キャッシュサーバにおいて受信すると、前記コンテンツプロバイダから前記コンテンツファイルをダウンロードするステップと、
前記ダウンロードされたコンテンツファイルを前記アクセスポイントに格納するステップと、
前記コンテンツユーザが前記アクセスポイントにおいてログインすると、前記コンテンツファイルを前記コンテンツユーザに送信するステップと、
を有する方法。
【請求項１３】
前記コンテンツファイルが前記コンテンツプロバイダからダウンロードされると、前記コンテンツユーザのユーザ固有のディレクトリを動的に作成するステップをさらに有する、請求項１２記載の方法。
【請求項１４】
前記ダウンロードされたコンテンツファイルを共通の格納ディレクトリに格納するステップと、
前記動的に作成された少なくとも１つのユーザディレクトリに対して前記コンテンツファイルとのリンクを提供するステップと、
をさらに有する、請求項１２記載の方法。
【請求項１５】
前記コンテンツユーザ装置は、無線対応のＰＤＡ又はウェブ対応の携帯電話である、請求項１２記載の方法。
【請求項１６】
前記メッセージは、前記ダウンロード対象のコンテンツファイルの識別情報と前記コンテンツプロバイダのインターネットアドレスとを含むパラメータを有するプロキシを有する、請求項１２乃至１５何れか一項記載の方法。
【請求項１７】
前記プロキシにおけるパラメータは、前記コンテンツユーザにより動的に提供可能であり、前記アクセスポイントの位置と前記コンテンツファイルをダウンロードする日時との少なくとも１つを含む、請求項１６記載の方法。
【発明の詳細な説明】
【技術分野】
【０００１】
本発明は、データ通信の分野に関し、より詳細には、リモートサイトダウンロードシステム及び方法に関する。
【背景技術】
【０００２】
携帯情報端末（ＰＤＡ）や携帯電話−ＰＤＡハイブリッドなどのマルチメディア対応型モバイル装置のユーザは、セルラーモバイルネットワークを利用して、電子メールを送受信し、ウェブサービスを取得することが可能である。しかしながら、このようなセルラーネットワークを利用することは、映画、音楽、テレビ番組又は他のマルチメディアファイルなどの大きなコンテンツファイルをダウンロード又はストリーミングするには効率的ではない。送信されるマルチメディアのビット単位のコスト及びスピードは、このような大きなマルチメディアコンテンツファイルをダウンロード又はストリーミングするため、モバイル装置のユーザがケーブルブロードバンド、ＤＳＬ又は電話モデムを使用することをよりコスト効率的なものとする。
【０００３】
大きなコンテンツファイルが、ウェブ上の商取引に採用可能なコンテンツプロバイダのウェブサーバに格納され、ユーザは各コンテンツファイルのダウンロード又はアクセスに対し支払をする必要があり、又は、当該コンテンツプロバイダから制限された、又は無制限の個数のコンテンツファイルにアクセス契約を有する必要があるかもしれない。このようなウェブ商取引に対応するコンテンツプロバイダのウェブサーバは、格納されているコンテンツファイルがダウンロード又はストリーミングするのを可能にする前に、ユーザの契約又は支払の認証を要求する。
【０００４】
モバイル装置のユーザが移動中であって、例えば、セルラーネットワークなどのコスト効率的でないネットワークへのウェブアクセスしか有さず、以降においてより高速な接続及び／又はよりコスト効率的なダウンロード能力を有する第２の位置に配置しようとする場合、モバイル装置のユーザは、第２の位置に到着するまで、このような大きなコンテンツファイルの選択、発注及び支払を控えることを所望するかもしれない。
【０００５】
よりコスト効率的な能力を有する第２位置は、ワイヤレスローカルエリアネットワーク（ＷＬＡＮ）であるパブリックスペースのワイヤレスブロードバンドコンピュータネットワークが確立されている「ホットスポット（ｈｏｔｓｐｏｔ）」として知られるパブリックアクセスポイントであるかもしれない。ホットスポットは、現在、ＩＥＥＥ８０２．１１ｂ（Ｗｉ−Ｆｉ）規格を用いて毎秒１１メガビット、又はＩＥＥＥ８０２．１１ｇを用いて毎秒５５メガビットの接続スピードを提供し、例えば、喫茶店、レストラン、ホテル、空港、本屋、コピーショップ、コンベンションセンターなどに配置されてもよい。ホットスポットでは、ＰＤＡ、ラップトップコンピュータ、携帯電話、ハイブリッドＰＤＡ−携帯電話などのＷｉ−Ｆｉ対応型モバイル装置を有するユーザは、インターネットにアクセスし、大変コスト効率的に大きなコンテンツファイルをダウンロード又はストリーミングすることができる。
【０００６】
一般には、ホットスポットにおけるインターネットアクセスは、契約サービス、各利用ごとの支払、又は無料により提供され、ワイヤレスカードを有するラップトップ、ＰＤＡ又は携帯電話と通信する無線トランシーバを設けるワイヤレスルータにより可能となる。Ｗｉ−Ｆｉに対応しないモバイルユーザは、将来的にはすべてのモバイル装置がＷｉ−Ｆｉに対応していることが予想されるが、有線接続の場合にはホットスポットインターネットサーバと接続可能である。
【０００７】
従来、ワイヤレスモバイル装置のユーザは、ホットスポットにおいてインターネットにアクセスし、迅速なダウンロードのためリモートコンテンツプロバイダサーバからコンテンツファイルを選択、要求及び支払を行っている。
【０００８】
しかしながら、ワイヤレスモバイル装置のユーザは、移動中にコンテンツプロバイダウェブサイトを介し、及び／又はセルラー又は他の低速ネットワークを介しコンテンツファイルを選択することが便利であるとわかり、モバイルユーザが当該コンテンツファイルを取得するための訪問中にコンテンツプロバイダウェブサイトに接続する必要なく、ホットスポットに訪問するとき、即座のアクセスのためコンテンツファイルを予めダウンロードするようにしてもよい。
【発明の概要】
【発明が解決しようとする課題】
【０００９】
本発明は、モバイル装置のユーザが第１位置にいる間にコンテンツプロバイダからコンテンツファイルを選択及びオーダーし、それを自動的にホットスポットにダウンロード及びキャッシュすることを可能及び容易にし、これにより、ホットスポットに訪問する際、コスト効率的なローカルダウンロード又はストリーミングにより利用可能となる。
【課題を解決するための手段】
【００１０】
モバイルユーザは、第１ネットワークを介しコンテンツプロバイダからのダウンロードオーダーを完了させ、モバイルユーザがダウンロード又はストリーミングなどによりコンテンツファイルにアクセスすることを所望するホットスポットを指定すると、キャッシュサーバのコンピュータがインターネットを介しコンテンツプロバイダからコンテンツファイルをダウンロードすることによりプロキシに対し動作するホットスポットアドレスに転送されるプロキシが生成される。キャッシュサーバは、プロキシを処理し、プロキシの受信直後又は他のタスク及びキャパシティに応じた最適な時間、好ましくは、モバイルユーザの到着前にコンテンツファイルをダウンロードする。プロキシは、任意的には、モバイルユーザの識別子、予想到着時刻、コンテンツファイルの識別子、コンテンツプロバイダアドレス及び／又は一意的なオーダー識別子に関するデータを有するようにしてもよく、この場合、キャッシュサーバは、ダウンロードを開始するためコンテンツプロバイダにおいてオーダー識別子を提供しさえすればよい。プロキシは、データセット又は実行可能オブジェクトであってもよく、それは１以上のクッキーから構成されてもよい。
【００１１】
モバイルユーザがホットスポットに到着すると、モバイル装置は、好ましくは、キャッシュサーバに同期される。例えば、モバイルユーザは、ホットスポットのキャッシュサーバ又は他のコンピュータにより認証されるユーザ名とパスワードによりサインインする必要があるかもしれず、又は、モバイル装置自体は、Ｗｉ−Ｆｉローカルエリアネットワークにおいて受信及び認証可能なモバイル装置のＷｉ−Ｆｉコンポーネントにより配信される一意的な識別子を有するようにしてもよく、当該識別子がコンテンツファイルオーダーと一致し、コンテンツファイルがキャッシュされている場合、ホットスポットのキャッシュサーバは、ファイルをモバイル装置に即座に転送するようにしてもよい。モバイルユーザは、ホットスポットへの到着時にモバイル装置を即座に認識し、ユーザ入力を要することなく、以前にオーダーされたコンテンツファイルがダウンロードされることが大変便利であると感じるかもしれない。キャッシュサーバは、課金機能と共に認証機能を実行することができ、ホットスポットサービスに対して、ユーザアカウントに課金されてもよい。
【００１２】
本発明のシステムは、キャッシュサーバを有する。キャッシュサーバは、典型的には、ホットスポットに設けられ、上述のプロキシを受信し、複数のモバイルユーザに対してコンテンツファイルをダウンロードし、ローカルストレージに格納し、各モバイルユーザがホットスポットに到着し、同期すると、ローカルストレージから適切な各モバイルユーザに適切なコンテンツファイルを送出するよう動作するようプログラムされる。
【００１３】
キャッシュサーバは、任意のコンピュータとすることが可能であるが、好ましくは、ネットワーク対応とされ、多数のユーザのファイルをキャッシュするよう構成されるセットトップボックスとして知られるものである。デジタルビデオレコーダは、本発明によるキャッシュサーバとして動作なセットトップボックスの形式をとる。キャッシュサーバのキャパシティに応じて、多数のコンテンツファイルが格納され、多数のモバイル装置に送出されてもよい。複数のモバイル装置が同時にホットスポットのキャッシュサーバからダウンロード又はストリーミングすることさえ可能である。好適な実施例では、キャッシュサーバは、同一のコンテンツファイルをダウンロードするため複数のプロキシを受信可能であり、それをオーダーした最初のモバイルユーザがローカルに受信した後に当該コンテンツファイルを削除するのではなく、キャッシュサーバは、同一のファイルをオーダーしたすべてのモバイルユーザがローカルに受信するまで当該コンテンツファイルを格納することが可能である。コンテンツプロバイダの許可に応じて、キャッシュサーバは、モバイルユーザから追加的なオーダーを予想して、最も人気の高いファイルを格納するようにしてもよい。
【００１４】
プロキシは、特定のコンテンツプロバイダウェブサイトから選択されるコンテンツファイルに基づき生成するよう特別にプログラムされたモバイル装置により、又は、特別にプログラムされたコンテンツプロバイダウェブサーバにより生成可能である。他にも可能なプロキシ生成方法が存在するが、各ケースにおいて、プロキシはキャッシュサーバが利用可能なホットスポットアドレスに送信される。キャッシュサーバは、好ましくは、ホットスポットローカルエリアネットワークにネットワークにおいてネットワーク接続されている。
【００１５】
プロキシは、例えば、他の機構もまた可能ではあるが、電子メールやインスタントメッセージによりホットスポットアドレスに送信可能である。プロキシは、コンテンツプロバイダからのモバイルユーザのオーダーを特定するデータを有する電子メール又はインスタントメッセージに添付することも可能であり、又は、キャッシュサーバに自動ダウンロードさせる実行可能オブジェクトを有することも可能である。
【００１６】
電子メール又はインスタントメッセージは、ホットスポットＬＡＮに便利な時間に要求されたコンテンツファイルを自動的にダウンロードし、モバイルユーザがホットスポットＬＡＮにサインインするまでダウンロードされたコンテンツを格納するようキャッシュサーバにより実行可能な、第１位置にあるモバイルユーザの暗号化され、認証されたコンテンツダウンロードリクエストを含むことが可能である。
【００１７】
キャッシュサーバコンピュータは、好ましくは、各モバイルユーザのディレクトリを生成し、各ディレクトリにダウンロードしたコンテンツファイル、又はモバイル装置により要求されるコンテンツファイルがキャッシュされる異なる格納パーティションへのリンクを格納する。このようなディレクトリの代わりに、モバイルユーザのデータベースが利用可能である。本発明のサーバコンピュータは、セルラーネットワークなど第１ネットワーク上のコンテンツファイルを要求し、インターネット接続へのブロードバンド接続などの第２ネットワークを介し要求されたファイルをダウンロードし、その後、モバイル装置がキャッシュサーバコンピュータの有線範囲又はＷｉ−Ｆｉ範囲内に到着し、キャッシュサーバコンピュータと同期するまでファイルを格納する、パーソナルビデオレコーダに類似した装置などの任意のデジタル記憶装置であってもよい共有セットトップボックスとすることが可能である。モバイル装置とサーバコンピュータとの同期後、モバイル装置にダウンロード又はストリーミングすることにより、コンテンツファイルがモバイル装置に転送される。例えば、映画コンテンツファイルのストリーミングの場合では、モバイルユーザは、キャッシュサーバに同期しながら映画を視聴することができる。モバイル装置が十分な記憶容量を有する場合、キャッシュサーバは、以降の視聴のため、映画コンテンツファイルをモバイル装置にダウンロードすることができる。
【００１８】
本発明おいて有用なキャッシュサーバは、好ましくは、ウェブブラウザによりインターネットにアクセスする手段をプログラムする１以上のプロセッサと、第１時点においてリモートサイトからダウンロードされたコンテンツファイルを、第２時点におけるモバイル装置への送出のためにキャッシュするのに利用可能なストレージとを有する。このようなキャッシュサーバは、ケーブルモデム、ＤＳＬ、衛星、他のデータ接続、又は電話モデムを介した公衆交換ネットワークを介しインターネットサービスプロバイダと接続することができる。好ましいキャッシュサーバは、各々が改良されたＰＶＲなどのキャッシュサーバにダウンロード及び格納されるべきファイルを要求する複数のモバイルユーザにコンテンツファイルをサービスするよう本発明によりプログラムされるデジタルビデオレコーダなどの改良されたセットトップボックスである。
【００１９】
ホットスポットＬＡＮ内の共有キャッシュサーバは、（１）キャッシュサーバからモバイルユーザにより要求されたコンテンツをダウンロードし、（２）モバイルコンテンツユーザに対し動的に生成されるディレクトリキャッシュにダウンロードしたコンテンツを格納し、（３）モバイル装置がホットスポットネットワークに接続されると、要求元ユーザのモバイル装置にダウンロードしたコンテンツを同期させるため、動的なコンテンツユーザセットにサービスを提供する。
【００２０】
本発明はまた、異なる場所にあるモバイル装置からホットスポットにあるダウンロードコンテンツオーダーを受信し、ダウンロードオーダーを自動的に実行し、ダウンロードしたコンテンツファイルをキャッシュし、ホットスポットにおいて同期すると、モバイル装置にキャッシュされたコンテンツファイルを送出する方法を有する。ダウンロードコンテンツオーダーは、好ましくは、キャッシュサーバがそれに対し処理を行い、インターネットを介しコンテンツファイルを検出し、それをダウンロードすることができるように、当該オーダーを特定するデータを含むプロキシの形式をとり、より好ましくは、キャッシュサーバへの適切なコンテンツファイルの迅速なダウンロードを実行させるため、キャッシュサーバにコンテンツプロバイダウェブサーバと自動的に接続させ、認証又は同期させる実行可能なオブジェクトを含むプロキシの形式をとる。
【００２１】
モバイル装置のユーザは、モバイル装置にコンテンツファイルをダウンロードするのに不便な時間、ネットワーク及び／又は場所にあるとき、リモートサーバに格納されているコンテンツファイルを選択するであろう。例えば、セルラーネットワークを介しＰＤＡを使用するとき、ダウンロードスピードはかなり遅く、ＰＤＡがホットスポットのＷｉ−Ｆｉネットワーク上にあるときより、オンライン時間ははるかにコストがかかるものとなる。選択されたコンテンツファイルが、映画など比較的大きなものである場合、ホットスポットにおいて映画をダウンロードすることがより効率的である。モバイルユーザがコンテンツファイルを選択するためホットスポットにサインインするまで待機するより、本発明は、ＰＤＡユーザがホットスポットに到着する前に映画をオーダーし、ホットスポットへの到着後にそれを視聴又はダウンロードすることを可能にする。
【００２２】
リモートサーバ上のコンテンツファイルはしばしば購入又は認証を要求するため、本発明は、一特徴として、モバイルユーザがそのようなコンテンツファイルを利用し、モバイルユーザにより既に購入されたファイルをホットスポットコンピュータがダウンロードするのに必要なすべてのコードを有するクッキーを含むプロキシをホットスポットに送信するためのライセンスを販売するウェブサイトからコンテンツファイルを購入することを可能にする。
【発明の効果】
【００２３】
本発明は、モバイル装置のユーザが第１位置にいる間にコンテンツプロバイダからコンテンツファイルを選択及びオーダーし、それを自動的にホットスポットにダウンロード及びキャッシュすることを可能及び容易にし、これにより、ホットスポットに訪問する際、コスト効率的なローカルダウンロード又はストリーミングにより利用可能となる。
【図面の簡単な説明】
【００２４】
【図１】図１は、モバイル装置がコンテンツファイルをオーダーする際の本発明の全体システムを示す。
【図２】図２は、モバイル装置がホットスポットにあり、キャッシュサーバからファイルをダウンロード又はストリーミングする際の本発明の全体システムを示す。
【図３】図３は、本発明の方法の実施例のフローチャートを示すブロック図である。
【発明を実施するための形態】
【００２５】
まず図１を参照するに、携帯情報端末（ＰＤＡ）１１がセルラーネットワーク１２を利用してインターネット１３にアクセスし、本例では、ＰＤＡユーザが「Ｍａｔｒｉｘ  Ｒｅｌｏａｄｅｄ」というタイトルの映画であるコンテンツファイルのオーダーを選択及び完了させることが可能なＭｏｖｉｅ−ｉｎｃ．ｃｏｍであるコンテンツプロバイダのウェブサーバ１４により動的に生成されるウェブページを開くことが可能である本発明の実施例が示される。
【００２６】
通常、このような低速狭帯域幅のセルラーネットワーク１２は、電子メールの送受信などの低要求機能に適したものであるが、電子メールへの大きな添付、映画、音楽、映像などの大きなファイルをダウンロードするには適さない。携帯情報端末１１は、インターネット１３をブラウズし、映像及び音声コンポーネントを有する映画ファイルをリクエスト可能なウェブサイト１４にアクセスすることが可能である。
【００２７】
多くのホットスポットは、本発明のキャッシュサーバを有し、通常、ユーザはあるホットスポットを選択し、ＰＤＡ及びＰＤＡのホットスポット位置データベース内の予想到着時刻又は移動スケジュールの日付は、ホットスポットの選択を可能にし、又は当該選択に供される。ニュージャージ州プリンストンのナッソーストリートのスターバックスなどのホットスポット１５が、本例において選択され、このようなホットスポットは、ホットスポットネットワークにおける、具体的にはプログラムされたデジタルビデオレコーダセットトップボックスであるキャッシュサーバ１６を有する。
【００２８】
図２を参照するに、ユーザが選択されたスターバックスに到着した後、ＰＤＡ１１は、ホットスポット１５のワイヤレスエリアネットワークに同期可能であり、キャッシュサーバ１６にローカルに格納されるＭａｔｒｉｘ  Ｒｅｌｏａｄｅｄコンテンツファイルをローカルに取得することができる。
【００２９】
図３において、本発明の実施例の一連のステップの例が示され、ここでは、ステップ２１において、ＰＤＡ１１は、セルラーネットワークにサインインし、Ｍｏｖｉｅ−Ｉｎｃ．ｃｏｍのウェブページを開き、ステップ２２において、Ｍａｔｒｉｘ  Ｒｅｌｏａｄｅｄなるタイトルの映画を選択し、ステップ２３において、ＰＤＡユーザがその晩の午後９時にいると予想されるホットスポットとしてニュージャージ州プリンストンのナッソーストリートのスターバックスを選択し、ステップ２４において、クレジットカード情報を与えることによりオーダーを完了させる。他の実施例では、ユーザはＭｏｖｉｅｓ−Ｉｎｃ．ｃｏｍとの契約を有し、このため、ユーザＩＤとパスワードのみが要求され、他の実施例では、ユーザは、コンテンツプロバイダのウェブサイトからパブリックドメインのコンテンツファイルをオーダーするようにしてもよい。
【００３０】
ＰＤＡ、又は他の実施例ではＭｏｖｉｅｓ−Ｉｎｃ．ｃｏｍのウェブサーバは、ステップ２５において、選択されたホットスポットの電子メールアドレスにインスタントメッセージを送信する。他の実施例では、ホットスポットは、コンテンツプロバイダを含む契約ネットワークにあり、この場合、ユーザの契約及び認証情報のすべてが、コンテンツサーバデータベースに配備可能である。
【００３１】
他の実施例では、インスタントメッセージ又は電子メールは、ステップ２６において、ホットスポットのキャッシュサーバにより受信されるクッキープロキシを有し、その後ステップ２７において、Ｍａｔｒｉｘ  Ｒｅｌｏａｄｅｄのコンテンツファイルをダウンロードし、ステップ２８において、当該映画コンテンツファイルを共通の格納ディレクトリＧ：＼ｃａｃｈｅ＼に格納し、シンボリックリンクをユーザ固有の格納ディレクトリＧ：＼ｕｓｅｒｎａｍｅ＼に格納する。プロキシはまた、モバイル装置上でコンテンツを再生するためのライセンスを含む（コンテンツユーザの公開鍵により）暗号化されたデータを有するようにしてもよい。
【００３２】
キャッシュサーバは、リクエストされたコンテンツファイルがキャッシュサーバ１４のストレージにすでにローカルに格納されているか、そしてキャッシュがコンテンツファイルをストレージキャッシュに格納するのに十分なスペースを有するか確認するためダウンロードする前にチェックするようにしてもよく、そうでない場合には、キャッシュサーバは、コンテンツファイルを要求したのがユーザの到着前である限り、それが十分なスペースを有するまでダウンロードすることを保留するようにしてもよい。
【００３３】
図１及び２のＰＤＡ１１のユーザが、図３のステップ２９においてスターバックスに到着すると、ホットスポットは、当該ＰＤＡがスターバックスのホットスポットネットワークに加入されているものとして認識する。サインイン後、ＰＤＡのユーザは、ステップ３０において、Ｍａｔｒｉｘ  Ｒｅｌｏａｄｅｄが当該ユーザにためキャッシュサーバに置かれ、ステップ３１において、リクエストに応答して、又は自動的に、ＰＤＡにダウンロード又はストリーミングされる。
【００３４】
好ましくは、図１及び２のキャッシュサーバ１６は、新たなユーザがダウンロードを要求した場合、ディレクトリを生成し、各ユーザの対応するディレクトリとキャッシュ内のコンテンツとをリンクさせるようプログラムされる。キャッシュサーバ１６は、同一のユーザ固有ディレクトリにライセンスファイルを保存することができる。このように、キャッシュされたファイルを管理することができ、保留中のリクエストに対応しない、すなわち、要求元のユーザによるホットスポットにおける取得する待機しているファイルが、当該コンテンツとのリンクが存在しない場合には、他のダウンロードファイルと置換される。キャッシュサーバ１６はまた、ホットスポットへの到着時に、モバイル装置と同期するよう機能可能である。
【００３５】
モバイル装置は、予め確立された信頼関係を介し（ユーザＩＤと共有されている秘密を介してなど）キャッシュサーバ（共有されているセットトップボックス）により認証可能である。コンテンツユーザのモバイル装置は、当該モバイル装置１１が接続されると、共有されているキャッシュサーバ１６上のそれの対応するディレクトリに同期され、このことは、図３のステップ２７において、ディレクトリのリンクにより指定されるコンテンツファイルが、図１及び２のモバイル装置１１に転送されることを意味する。同期後、シンボリックリンク及びライセンスファイルが削除される。
【００３６】
本発明の実施例では、プロキシは、図３のステップ２７においてコンテンツサーバ１４からコンテンツファイルをダウンロードするようＰＤＡユーザ１１のためにキャッシュサーバ１６が動作することを可能にするデータを有する。このプロキシデータは、例えば、（ａ）ダウンロード対象となるコンテンツの識別情報、（ｂ）コンテンツにアクセスするのに要するユーザ情報、及び（ｃ）ダウンロードがどのように実行されるべきかに関する情報を含むものであってもよい。コンテンツ識別情報は、例えば、コンテンツが存在するコンテンツサーバのネットワークアドレスを含むダウンロードされるべきコンテンツのファイル名とネットワークアドレスを含むものであってもよい。コンテンツにアクセスするのに要するユーザ情報は、ダウンロードされるべきコンテンツへのアクセスに必要な任意の情報と共に、ユーザＩＤとパスワード情報を含むコンテンツが存在するコンテンツサーバへのアクセスに必要な任意の情報を含むものであってもよい。コンテンツファイルの閲覧又はダウンロードライセンスが求められると、ユーザ情報はまた、認証やアカウント情報などの支払に関する情報を有するかもしれない。ダウンロードがどのように実行されるかに関する情報は、例えば、ダウンロードが実行される時間、又はキャッシュサーバ１６のネットワークアドレスなど、コンテンツがダウンロードされる場所を含むものであってもよい。
【００３７】
本発明の他の実施例では、プロキシは、データとコンピュータコードを有する。上述されるように、当該データは、ステップ２７において、コンテンツサーバから（コンテンツ識別情報、ユーザ情報及びダウンロードに関する情報を含む）コンテンツをダウンロードするため、キャッシュサーバ１６がユーザ１１のために動作することを可能にする。当該コンピュータコードは、コンテンツサーバからのコンテンツのダウンロードを要求する機能を提供する。従って、プロキシに含まれるコンピュータコードを実行するキャッシュサーバ１６は、プロキシに含まれるデータに基づき、コンテンツのダウンロードを要求するよう動作する。一般に、コンテンツサーバ１４はＨＴＴＰサーバであり、プロキシは、コンピュータシステムがＨＴＴＯクライアントとして機能することを可能にするコンピュータコードを含むようにしてもよい。
【００３８】
プロキシに含まれるデータは予め規定され、静的なものではあるが、コンテンツプロバイダ１４のウェブサーバシステムは、当該データを動的に提供可能にするコンポーネントを含むようにしてもよい。例えば、コンテンツプロバイダ１４は、ユーザが上記タイプのデータの何れかを提供することを可能にするユーザインタフェースと、提供されたデータを以降において抽出可能であって、提供されたデータを格納するためのストレージを有するものであってもよい。
【００３９】
例えば、ユーザは、ユーザインタフェースを用いてリクエストされたダウンロードが行われる所望の日時を与えるようにしてもよい。他の例では、ユーザはユーザインタフェースを利用して、プロキシを生成するよう即座に利用され、又はストレージに格納され、プロキシを生成するためユーザインタフェースを介し以降において抽出可能なダウンロード先位置（例えば、コンテンツがダウンロードされ、ダウンロードされたコンテンツが抽出されるホットスポットのネットワークアドレスなど）を入力するようにしてもよい。このようにして、ユーザの自宅やオフィスに関するホットスポット１５など、ユーザが頻繁にダウンロードする位置に関する情報が格納及び以降において抽出されてもよい。また、ユーザが利用予定の空港やユーザが滞在予定のホテルに関するホットスポット１５など、ユーザが移動することが予想される位置に関する情報が、格納及び以降において抽出されてもよい。
【００４０】
本発明の好適な実施例では、ＰＤＡ１１は、コンテンツ識別情報を取得するため、コンテンツサーバ１４と通信することを可能にするコンテンツサーバの通信モジュールを有する。本実施例では、ユーザは、何れのコンテンツがコンテンツサーバ１４からのダウンロードに利用可能であるか判断するため、コンテンツサーバ１４と通信するようＰＤＡ１１を操作する。ユーザ１１は、ダウンロード対象となるコンテンツを選択し、この選択は、それからコンテンツ識別情報を抽出するモジュールに送信される。例えば、アクセス対象のコンテンツサーバ１４がウェブサーバである場合、ＰＤＡ１１は、プラグインなど、既知の方法により変更される標準的なウェブブラウザを有し、これにより、ウェブサーバに通常送信されるダウンロードリクエストは、当該モジュールにリダイレクトされる。ユーザ１１は、コンテンツプロバイダのウェブサーバ１４とやりとりするためウェブブラウザを操作し、ダウンロード可能なコンテンツを特定する。ユーザが図３のステップ２２においてダウンロードするコンテンツを選択すると（ウェブサーバにより提示される所望のコンテンツとのリンクを選択することにより）、ウェブサーバに通常送信されるウェブブラウザにより生成されるダウンロードリクエストは、代わりに当該リクエストからコンテンツ識別情報（コンテンツのファイル名とウェブサーバのＩＰアドレスなど）を抽出するモジュールにリダイレクトされ、図３のステップ２５においてキャッシュサーバに送信されるデータセットに含まれる。
【００４１】
キャッシュサーバ１６は、複数のコンテンツプロバイダ１４から複数のプロキシを受信してもよいということに留意すべきである。受信した各プロキシは、格納され、キュー同様のキャッシュサーバストレージに構成され、これにより、格納された各プロキシは、プロキシのパラメータにより示される時間にプロキシのパラメータにより表されるダウンロードを実行するのに利用可能となる。
【００４２】
他の例では、ダウンロードの実行後、キャッシュサーバ１４は、例えば、ダウンロードに対応するオブジェクトのユーザ情報に含まれるユーザ１１の電子メールアドレスを利用して、ダウンロードを要求したユーザ１１に電子メールなどの通信を送信してもよい。電子メールは、キャッシュサーバ１４に格納されるダウンロードされたファイルとのリンクを有し、これにより、ユーザは電子メールを開き、リンクを選択することにより、ホットスポットキャッシュサーバ１４に格納されているファイルをユーザにより操作されるＰＤＡ１１に自動転送するようにしてもよい。
【００４３】
本発明が好適な実施例に関して説明及び図示されたが、本発明の趣旨及び範囲から逸脱することなく当業者に自明な多数の変形及び変更が可能であり、これにより、本発明は、このような変形及び変更が本発明の範囲内に属するものであるため、上述の方法又は構成の正確な詳細に限定されるものとしてみなされるものではない。
【符号の説明】
【００４４】
１４  キャッシュサーバ
１６  コンテンツサーバ
【図１】
2010231798.tif 000003
【図２】
2010231798.tif 000004
【図３】
2010231798.tif 000005